(57)【要約】【課題】中通し竿の糸がらみしないことと、竿のねじれを起こさない利点を外通し竿に導入出来ないかは、竿を作る者にとっては、竿の性能向上にぜひとも成しとげたい問題であった。しかし、円筒は３ｍｍ程度のもので、それを実現しなくてはならず、漠然と考えていても実現は出来ないでいた。【解決の手段】本発明では、課題の解決の実現に向けて実験を繰り返し、３ｍｍパイプより両端を広げたり、絞ったりしてガイドリングの取付けと竿先への取付けを成立させ、背割を所定の深さに加工し、そこに硬質ガイドリングをのせて切欠き部分を銀ロー付けで補強することによって、実用性ものもを完成することが出来た。これを竿に取付けて、課題のねじりや糸がらみのないことを確認出来た。【選択図】  図１１
2004275158.tif 000002
【特許請求の範囲】
【請求項１】
円筒状の一端に硬質ガイドリングを取付け、もう一端は竿先に取付けられる様な形状にし、円筒状の外周に穴を形成し、そこに硬質ガイドリングを取付け、釣糸を外から内に導入出来る様にした構造の釣糸ガイド。
【発明の詳細な説明】
【０００１】
【産業上の利用分野】
本発明は、釣竿の先端の糸案内に関する改良の発明である。
【０００２】
【従来の釣糸ガイド】
リールを利用する竿において、トップ用釣糸ガイドは（以下トップガイドと称す）、糸がらみをよく起こすので、これを解決しようと種々のトップガイドがあるが、その中でも最も糸がらみしないのは、中通し用のトップガイドで、図１がその断面図である。これは糸が中心部から出るのでからみ様がないものである。次に順じて糸がらみしないものとしては、図２のガイドである。これは、カンザシ形として旧来より存在している。これは首Ａの部分が細く、針金▲４▼が丸く円状になっているので、図１の中通しトップと比べると、性能は劣っているがかなり糸がらみを起こさない。図３は、糸がらみしづらいとして現在最も多く用いられているアーム▲５▼を有するトップガイドである。
糸というのは、Ｌ形になった出っ張りに対してからみ付くというのは真理であり、それをいかに少なくするかということになる。
【０００３】
【本発明の目指すもの】
本発明は、糸がらみがないとされる中通しのトップガイドと同じ性能を有する外通し用のトップガイドを実現しようとするものである。
【０００４】
【実施例】
図４は本発明の実施例である。円筒形▲２▼を外周より大きく切込みを入れ、そこに第２ガイドリング▲７▼を取付リング▲６▼でおおったものを乗せ、その外周と円筒の切込み部分を銀ロー付け等で溶着し、強固な強度を有する状態にし、実用上の荷重に耐えられる様にする。
この第２ガイドリングが強固に取付けられることにより、釣糸の流れは、外通しの釣糸ガイドが上向きで使う場合は、ロの釣糸の流れとなり、下向きの場合はイの流れとなり、上向き下向き両方で使えるので、両軸リール用、スピニングリール用と両方のリールに対応出来るトップガイドが出来上がる。こと糸がらみに関しては、中通し用トップガイドとほぼ同じ性能を有することになる。第２ガイドリングの上面より見ると、両巾は円筒よりわずかに出るが、糸がからめない状態のものであり、又、傾斜面Ｃはからみ付くことが出来ない。わずかなへこみＴは、糸がからむ方向ではないので問題とならない。
【０００５】
【釣糸ガイドの構造】
本発明の構造は図４の横断面図で分かる様に、円筒▲２▼に、第１ガイドリング▲３▼を一端に取付け、外周には第２ガイドリング▲７▼を取付ける様にしたもので、図５は、円筒▲２▼の外周に切込みを入れた状態の横断面図である。図６は、切込みを上面からみた状態の外観図である。図７は、取付けリング▲６▼と円筒▲２▼を銀ロー▲８▼等で溶着した状態の外観を表している。又、図４の傾斜面はＣとし、わずかな切込みの残りはＴとする。この図５、図６を見れば、このままでは円筒は折り曲げられると非常に弱いということが分かる。それを図７に示す如く、銀ロー８で一体化すれば大変丈夫で実用性のものに生まれ変わる。図８は、楕円状のガイドリング▲９▼を取付板▲１０▼によって、円筒▲２▼に取付けた外観図である。図９は、板金やプラスチックで一体成形されたものに、第１ガイドリング▲３▼、第２ガイドリング▲７▼を取付けたものである。図１０は、中通しとしても使える糸の流れを示した図である。図１１は、外観斜視図を表している。Ｕは、穂先を上下にはさんで取付ける方式。Ｖは、円筒▲２▼の２つ割によるもの。Ｗは、切込みを銀ロー付けで補強したもの。Ｘは、楕円状の硬質ガイドリングを円筒▲２▼を２つ割にしてから一体化したもの。Ｙは、長目の硬質ガイドリングに外通しの糸を導入する穴を設けたもの。Ｚは、樹脂成形したもの。
これを安価に作る手段としては、樹脂成形で作り、硬質ガイドリングを取付けたり、又、板状のものから折り曲げたり、半割のものを成形すれば量産も可能なものが出来る。図９−１はその成形品を表しているものである。Ｈ１、Ｈ２にガイドリング▲３▼と▲７▼を入れ、もう半分の勝手違いの半割円筒▲２▼−１をかぶせて継目を溶着すれば、簡単に作ることが出来る。図９−２の様に、硬質ガイドリング▲３▼−１の様に長い円筒状の外周に穴を明けておけば、さらに量産することが出来る。
【０００６】
【従来の技術】
釣糸ガイドは、硬質ガイドリングを取付ける金具はプレス成形のものが主力であり、又トップガイドは、ロー付けなどの手間のかかるものは、極力避ける様な傾向にあったので、円筒形のものに切込みを入れたものに、ロー付けで強化するということじたい考えても、製品化出来ないと思っており、又、考え様ともしていなかった。したがって、そういう商品は今まで存在していないのである。
【０００７】
【発明の効果】
本発明は、近年釣糸の改良が進み、細く丈夫で伸びのないものが発明された。ナイロン糸と違い、性能は軟らかく、しなやかであり、より釣糸ガイドにからみやすくなってしまった。その為に、特にトップガイドは最も重要な部品となり、それをいかによい性能のものを取付けるかによって、釣竿の価値が決定されるといっても過言とはいえない。又、カーボン竿は、軽くて細いものを追及しているので穂先はますます細くなっており、それに対しては、釣糸ガイドが小さくなれない状況が続いている。しかし、本発明のトップガイドが実現されたことにより、トップが非常に小さくなったので、次に取付けられる片足ガイドもこれに順じて小さくしても、全体のバランスがよくなり、竿の軽量スリム化が促進されて竿が一新されることになる。第１ガイドリング▲３▼と第２ガイドリング▲７▼の２つでトップにかかる荷重を受けるので、今までの様に１ヶで受けるより、小さくても大変に丈夫なものになる。
本発明の実現により、わずかに優位とされていた中通しの利点（糸がらみしない点）も、消失してしまうほど効果の高い発明品である。又、図１２の円筒バネＢの穂先に取付けた場合にＬ形のトップの場合、ガイドを上向きで使うとすぐに横にねじれてしまうのが、本発明品はそういう現象が起きないので、新しい穂先の実現にも役立つ重要部品となる。
図１２、１３を使って説明すると、図１２にはＬ形トップを使ったときの円筒バネＢ状穂先は、魚が釣糸を竿先下又は手前に引張った場合はバランスがくずれ、Ｐ１の方向に力がかかり、Ｋ１の長さだけのねじりモーメントがかかり円筒バネＢがねじ曲げられ、それが片足ガイドＬのＰ２の地点までねじりが及び穂先が横にねじ曲ってしまう。すると、バネそのものも余分な力に耐えねばならず、耐久性が悪くなることと、片足ガイドＬの取付け部が横に曲げられるので、足の取付け部分がゆるんでくる。この点からも、穂先の性能としては大変にマイナスとなる。しかるに本発明の方は、Ｋ２が小さい為に円筒バネＢに、ねじりの働く地点Ｐ３、Ｐ４はＰ１に比べ格段に小さいので、片足ガイドＬのＰ５の地点では、横に働く力とはなりえず、円筒バネ穂先に対しては悪い力が働かなくてすむことになる。船の重心が高いか低いかというのと同じ様な原理で考えればすぐに分かることである。
【図面の簡単な説明】
【図１】中通しトップガイドの横断面図。
【図２】カンザシ形トップガイドの横断面図。
【図２−１】カンザシ形トップガイドの正面図。
【図２−２】カンザシ形トップガイドの上面図。
【図３】アーム▲５▼の付いたトップガイドの外観図。
【図３−１】アーム▲５▼の付いたトップガイドの平面図。
【図４】本発明の横断面図と釣糸の流れ。
【図５】本発明の円筒横断面図。
【図６】本発明の円筒平面図。
【図７】本発明の円筒ガイドの外観図。
【図８】本発明の円筒楕円状ガイドリングを取付けた平面図。
【図９】本発明の円筒一体成形品の横断面図。
【図９−１】円筒の断面図。
【図９−２】硬質ガイドリングに導入穴を設けた円筒式釣糸ガイド。
【図１０】中通しとして使う場合の横断面図。
【図１１】斜視図。
【図１２】円筒バネ式Ｌ形トップガイド取付図。
【図１３】円筒バネ式円筒ガイド取付図。
【符号の説明】
▲１▼      釣竿穂先
▲２▼      円筒
▲２▼−１  半割円筒
▲２▼−２  円筒ガイド
▲３▼      第１ガイドリング
▲３▼−１  硬質ガイドリング
▲４▼      針金
▲５▼      アーム
▲６▼      取付リング
▲７▼      第２ガイドリング
▲８▼      銀ロー
▲９▼      楕円状ガイドリング
▲１０▼      取付板
イ      糸の流れ
ロ      糸の流れ
ハ      糸の流れ
Ａ      首
Ｃ      傾斜面
Ｔ      へこみ
Ｂ      円筒バネ
Ｈ１    成形穴
Ｈ２    成形穴
Ｕ      ハサミ式円筒釣糸ガイド
Ｖ      半割式円筒釣糸ガイド
Ｗ      ロー付け式円筒釣糸ガイド
Ｘ      半割式楕円釣糸ガイド
Ｙ      円筒硬質ガイドリング付釣糸ガイド
Ｚ      樹脂成形式円筒釣糸ガイド
Ｐ１    釣糸の荷重が横にずれた位置
Ｐ２    釣糸の荷重が横にずれた位置
Ｐ３    釣糸の荷重が横にずれた位置
Ｐ４    釣糸の荷重が横にずれた位置
Ｐ５    釣糸の荷重が横にずれた位置
【図１】
2004275158.tif 000003
【図２】
2004275158.tif 000004
【図２−１】
2004275158.tif 000005
【図２−２】
2004275158.tif 000006
【図３】
2004275158.tif 000007
【図３−１】
2004275158.tif 000008
【図４】
2004275158.tif 000009
【図５】
2004275158.tif 000010
【図６】
2004275158.tif 000011
【図７】
2004275158.tif 000012
【図８】
2004275158.tif 000013
【図９】
2004275158.tif 000014
【図９−１】
2004275158.tif 000015
【図９−２】
2004275158.tif 000016
【図１０】
2004275158.tif 000017
【図１１】
2004275158.tif 000018
【図１２】
2004275158.tif 000019
【図１３】
2004275158.tif 000020